(57)【特許請求の範囲】
【請求項１】
第１のフレームと第２のフレームにて紙葉搬送路を形成し、該紙葉搬送路にて紙葉を搬送中に紙葉の磁気記憶領域から情報の読み出しを行う磁気読取装置において、磁気センサと、前記紙葉を前記磁気センサに押し付ける押圧部材と、を設け前記押圧部材は、前記紙葉に接触可能なように前記磁気センサに対向配置された接触部と、前記接触部よりも摩耗し難い部材により形成された案内部材とを有し、前記案内部材を前記接触部の両側に設けたことを特徴とする磁気読取装置。
【請求項２】
第１のフレームと、第２のフレームにて紙葉搬送路を形成し、該紙葉搬送路にて紙葉を搬送中に紙葉の磁気記憶領域から情報の読み出しを行う磁気読取装置において、磁気センサと、前記紙葉に接触可能なように前記磁気センサに対向配置された押圧部材と、前記押圧部材を支持する前記フレームから前記押圧部材よりも摩耗し難い部材により形成された案内部材とを有し、前記案内部材を前記押圧部材の両側に設けたことを特徴とする磁気読取装置。
【発明の詳細な説明】
【０００１】
【発明の属する技術分野】
本発明は、例えば自動紙幣処理機等に用いられ、紙幣等に書込まれた磁気データから出力を読取る磁気読取装置に関する。
【０００２】
【従来の技術】
従来、銀行等の金融機関で利用される自動紙幣処理機には、紙幣の金種等を認識する装置があるが、その装置の機能のひとつとして、紙幣の搬送中に磁気出力を読取る機能がある。この機能を実現するため、磁気センサと、紙幣を磁気センサに押し当てる押圧部材が設けられていた。紙幣がこの押圧部材により磁気センサに押圧されることで紙幣の磁気出力を磁気センサで検知し、この磁気出力の特徴をとらえることにより紙幣の金種等の認識をすることが可能であった。
【０００３】
図９、図１０に示すように、従来の磁気読取部（磁気センサ、押圧部材）は、フレーム４に支持された磁気センサ１と、紙幣６を磁気センサ１に押し当て、フレーム３に支持された押圧部材２とから構成されている。前記磁気センサ１の頂部は、紙幣６と摺動して磁気読取りを行うギャップ１ａが設けられ磁気出力を検知する。  前記押圧部材２は磁気読取を安定させるため弾性部材等で形成され前記磁気センサ１に対向配置されている。
【０００４】
前記押圧部材２の頂部の形状は紙幣６を安定して搬送するために、紙幣６が搬送される方向に円弧形状に形成され、円弧形状の一部を磁気センサ１にスプリング８によって押し当てる構造になっている。また、紙幣６が搬送される方向に対して直角方向では平らな面になっている。フレーム３とフレーム４の間に紙幣搬送路７を形成している。
【０００５】
【発明が解決しようとする課題】
このような従来の磁気読取装置において、押圧部材２は紙幣６が搬送される方向に円弧形状に形成されており、円弧形状の一部を磁気センサ１のギャップ１ａにスプリング８にて押し当てる構造になっていたが、紙幣６は搬送路７を搬送され前記磁気読取部の前記磁気センサ１のギャップ１ａと前記押圧部材２との円弧部の接触点に到達すると、紙幣６は該接触点に衝突し次に通過する。
【０００６】
この時の衝突による衝撃とその後の通過（読取）による摩擦により前記押圧部材２が摩耗して段差が形成される。この段差によりスティックスリップの現象（磁気センサのギャップ１ａに対応する位置の押圧部材に紙幣６が衝突し、衝突によるノイズが発生して不安定な磁気読取になる）を引き起こすという問題があった。
【０００７】
また、紙幣６が搬送される方向に対して直角方向では磁気読取りを行う磁気センサのギャップ部分１ａに押圧部材２が密着しないで磁気出力を不安定にするという問題があった。
【０００８】
【課題を解決するための手段】
本発明は、上記課題を解決するために，押圧部材のパッドの両端に例えば金属の様な前記パッドより摩耗し難い材料にてガイドを設ける。
【０００９】
また、押圧部材を支持するフレームに例えば金属のような、押圧部材より摩耗し難い材料にてリブを設ける。
【００１０】
また、紙幣の衝突の位置を磁気センサのギャップの位置からずらす。
【００１１】
また、押圧部材の紙幣の搬送方向と直角方向の角をＲ形状に形成する。ことを特徴とする。
【００１２】
【発明の実施の形態】
以下、本発明の実施の形態について、図面を用いて説明する。なを、各図面に共通する要素には同一の符号を付す。
図１は第１の実施の形態を示す磁気読取部を説明するための正面図であり、図２は図１の側面図である。図３は第２の実施の形態を示す磁気読取部を説明するための正面図であり、図４は図３の側面図である。図５は第３の実施の形態を示す磁気読取部を説明するための正面図であり、図６は図５の側面図である。図７は第４の実施の形態を示す磁気読取部を説明するための正面図であり、図８は図７の側面図である。図９は従来の磁気読取部を説明するための側面図であり、図１０は図９のＡ部拡大図である。
【００１３】
第１の実施の形態を示す磁気読取部は、図１、図２を用いて説明する。磁気センサ１はフレーム４に支持され、押圧部材２０はフレーム３に支持され紙幣６をスプリング８にて磁気センサ１に押し当てる。前記磁気センサ１の頂部は、前記紙幣６と摺動して磁気読取りを行うギャップ１ａが設けられ磁気出力を検知する。前記押圧部材２０はパッド２１とガイド２２、２３からから構成されている。
前記パッド２１は弾性部材等で形成されている。
【００１４】
前記パッド２１の両端には例えば金属の様な前記パッド２１より摩耗し難い材料にてガイド２２、２３を設けてある。このパッド２１と両端の前記ガイド２２、２３は例えば接着等により一体に構成され、前記磁気センサ１に対向配置されている。前記パッド２１と前記ガイド２１、２２の頂部の形状は紙幣６を安定して搬送するために、紙幣６が搬送される方向に円弧形状に形成され、該円弧形状の一部を磁気センサ１のギャップ１ａにスプリング８によって押し当てる構造になっている。
【００１５】
このように構成された磁気読取部は次のように作用する。紙幣６は搬送路７を搬送され前記磁気読取部の前記磁気センサ１のギャップ１ａと前記押圧部材２０との円弧部の接触点に到達すると、紙幣６は該接触点に衝突し次に通過する。この時の衝突による衝撃とその後の通過（読取）による摩擦により前記磁気センサ１と前記押圧部材２０との円弧部の接触点が摩耗して段差が生じるが、パッド２１の両端には例えば金属の様な前記パッド２１より摩耗し難い材料にてガイド２２、２３を設けてあるので、摩耗が減少してスティックスリップの現象を引き起こすことがなくなる。
【００１６】
第２の実施の形態を示す磁気読取部は、図３、図４を用いて説明する。磁気センサ１はフレーム４に支持され、押圧部材２はフレーム３０に支持され紙幣６をスプリング８にて前記磁気センサ１に押し当てる。前記磁気センサ１の頂部は、前記紙幣６と摺動して磁気読取りを行うギャップ１ａが設けられ磁気出力を検知する。前記押圧部材２は弾性部材等で形成されている。
【００１７】
前記フレーム３０にはリブ３１、３２が紙幣６の搬送方向と直角方向に前記押圧部材２を保護する形状に設けられている。すなわち、前記フレーム３０に支持された前記押圧部材２の幅方向の外側の所定の位置に、例えば金属の様な前記押圧部材２より摩耗し難い材料にて、リブ３１、３２を設ける。このフレーム３０と前記リブ３１、３２は例えば接着等により一体に取り付けられるか、また一体成形により成形されても良い。
【００１８】
前記リブ３１、３２は、ほぼ前記磁気センサ１に接する高さで紙幣６の走行方向に、前記磁気センサ１のギャップ１ａの位置から前後に長く平面状に形成され、これにより衝突位置を前記ギャップ１ａの位置からずらすようにしている。また前記押圧部材２は紙幣６を安定して搬送するために、紙幣６が搬送される方向に円弧形状に形成され、該円弧形状の一部を前記磁気センサ１のギャップ１ａにスプリング８によって押し当てる構造になっている。したがって、前記押圧部材２の側面からみた形状は完全に前記リブ３１、３２の形状の中に納まっている。
【００１９】
このように構成された磁気読取部は次のように作用する。紙幣６は搬送路７を搬送され前記磁気読取部の前記リブ３１、３２の先端部３１ａ，３２ａに衝突する。次に前記磁気センサ１のギャップ１ａと前記押圧部材２との円弧部の接触点に到達する。紙幣６は前記接触点にて前記押圧部材２に衝突し次に通過する。
【００２０】
しかしながら、この時の衝突による前記押圧部材２への衝撃は前記リブ３１、３２によって紙幣６の走行が案内されているので小さい。前記リブ３１、３２は例えば金属の様な前記押圧部材２より摩耗し難い材料にて設けてあるので、衝突による衝撃とその後の通過（読取）による摩擦による摩耗が減少してスティックスリップの現象を引き起こすことがなくなった。
【００２１】
第３の実施の形態を示す磁気読取部は、図５、図６を用いて説明する。フレーム４に支持された磁気センサ１と、紙幣６を磁気センサ１に押し当て、フレーム３に支持された押圧部材４０とから構成されている。前記磁気センサ１の頂部には、紙幣６と摺動して磁気読取りを行うギャップ１ａが設けられ磁気出力を検知する。前記押圧部材４０は磁気読取を安定させるため弾性部材等で形成され前記磁気センサ１に対向配置されている。
【００２２】
前記押圧部材４０の頂部の形状は前記磁気センサ１に接する高さで紙幣６の走行方向に、磁気センサ１のギャップ１ａの位置から前後に長く平面状に形成され、これにより衝突位置４０ａをギャップ１ａの位置からずらすようにしている。また、前記平面状に形成された前後端は、紙幣６の衝突を和らげるために、紙幣６が搬送される方向にＲ形状に形成されている。前記平面部を磁気センサ１にスプリング８によって押し当てる構造になっている。
【００２３】
このように構成された磁気読取部は次のように作用する。紙幣６は搬送路７を搬送され前記磁気読取部の前記押圧部材４０の先端部４０ａに衝突する。次に前記磁気センサ１のギャップ１ａと前記押圧部材４０の前記平面部接触点に到達する。紙幣６は前記平面部接触点にて読取りを行う。これにより衝突による前記磁気センサ１のギャップ１ａの位置の摩耗が減少してスティックスリップの現象を引き起こすことがなくなる。
【００２４】
第４の実施の形態を示す磁気読取部は、図７、図８を用いて説明する。フレーム４に支持された磁気センサ１と、紙幣６を磁気センサ１に押し当て、フレーム３に支持された押圧部材５０とから構成されている。前記磁気センサ１の頂部には、紙幣６と摺動して磁気読取りを行うギャップ１ａが設けられ磁気出力を検知する。前記押圧部材５０は磁気読取を安定させるため弾性部材等で形成され前記磁気センサ１に対向配置されている。
【００２５】
前記押圧部材５０は紙幣６が搬送される方向に円弧形状に形成されており、円弧形状の一部を前記磁気センサ１のギャップ１ａにスプリング８にて押し当てる構造になっている。また、紙幣６の搬送方向と直角方向の角をＲ形状に形成されている。
【００２６】
このように構成された磁気読取部は次のように作用する。紙幣６は搬送路７を搬送され前記磁気読取部の前記磁気センサ１のギャップ１ａと前記押圧部材５０との円弧部の接触点に到達する。その後の通過（読取）にて、前記押圧部材５０の紙幣６の搬送方向と直角方向の角をＲ形状に形成しているので、紙幣６が搬送される方向に対して直角方向では磁気読取りを行う前記磁気センサのギャップ部分１ａ(幅)に押圧部材が隙間なく密着し、これにより磁気出力が安定する。
【００２７】
【発明の効果】
以上述べたように本発明によれば、押圧部材２０のパッド２１の両端には例えば金属の様な前記パッド２１より摩耗し難い材料にてガイド２２、２３を設けているので、衝突による衝撃とその後の通過（読取）による摩擦による摩耗が減少してスティックスリップの現象を引き起こすことがなくなった。
【００２８】
また、フレーム３０に例えば金属のような、押圧部材２より摩耗し難い材料にてリブ３１、３２を設けてあるので、衝突による衝撃とその後の通過（読取）による摩擦による摩耗が減少してスティックスリップの現象を引き起こすことがなくなった。
【００２９】
また、押圧部材４０の紙幣６との衝突の位置を、磁気センサ１のギャップ１ａの位置からずらして衝突による磁気センサ１のギャップ１ａの位置の摩耗を減少して、スティックスリップの現象を引き起こすことがなくなった。
【００３０】
また、押圧部材５０の紙幣６の搬送方向と直角方向の角をＲ形状に形成しているので、紙幣６が搬送される方向に対して直角方向では磁気読取りを行う磁気センサのギャップ部分１ａ（幅）に押圧部材５０が隙間なく密着し、これにより磁気出力が安定にする。
【図面の簡単な説明】
【図１】本発明の第１の実施の形態の磁気読取部を説明するための正面図である。
【図２】図１の側面図である。
【図３】本発明の第２の実施の形態の磁気読取部を説明するための正面図である。
【図４】図３の側面図である。
【図５】本発明の第３の実施の形態の磁気読取部を説明するための正面図である。
【図６】図５の側面図である。
【図７】本発明の第４の実施の形態の磁気読取部を説明するための正面図である。
【図８】図７の側面図である。
【図９】従来の磁気読取部を説明するための正面図である。
【図１０】図９のＡ部拡大図である。
【符号の説明】
１  磁気センサ
１ａ  磁気センサ１のギャップ
２  押圧部材
３、４  フレーム
６  紙幣
７  搬送路
８  スプリング
２１  パッド
２２、２３  ガイド
３０  フレーム
３１、３２  リブ
４０  第３の実施の形態の押圧部材
５０  第４の実施の形態の押圧部材
【図１】
0004552318.tif 000002
【図２】
0004552318.tif 000003
【図３】
0004552318.tif 000004
【図４】
0004552318.tif 000005
【図５】
0004552318.tif 000006
【図６】
0004552318.tif 000007
【図７】
0004552318.tif 000008
【図８】
0004552318.tif 000009
【図９】
0004552318.tif 000010
【図１０】
0004552318.tif 000011